【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
制御対象（９０）の運転状態を当該制御対象の温度（Ｔｅｎｇ）に応じて制御する制御装置（１０）であって、
前記制御装置の一箇所または二箇所の温度（Ｔｅｃｕ）を検出可能な温度検出手段（２０、５０）と、
記憶部（３１）と、
前記制御対象が非運転中か否かを判定する運転判定手段（３２）と、
前記制御対象が非運転中であると前記運転判定手段により判定された場合、前記制御装置が自己の発熱により温度上昇した自己発熱状態であるか否かを判定する自己発熱判定手段（３３）と、
前記制御装置が自己発熱状態であると前記自己発熱判定手段により判定された場合、自己発熱状態であることを示す自己発熱情報、および、当該判定直前の前記制御装置の起動時に前記温度検出手段が検出した温度である判定前温度（Ｔｏｌｄ）を、前記記憶部に記憶させる記憶手段（３４）と、
前記自己発熱情報が前記記憶部に記憶されている場合、前記制御装置の現時点から直前の起動時の温度（Ｔｅｃｕ−ｓ）が、前記記憶部に記憶されている前記判定前温度よりも所定値（Ｔｅｃｕ１）以上高いか否かを判定する温度判定手段（３７）と、
前記温度判定手段による判定が否定された場合、前記制御装置の現時点から直前の起動時に前記温度検出手段が検出した温度に基づき前記制御対象の温度を推定し、前記温度判定手段による判定が肯定された場合、前記記憶部に記憶されている前記判定前温度に基づき前記制御対象の温度を推定する温度推定手段（３５）と、
を備えることを特徴とする制御装置。
【請求項２】
制御対象（９０）の運転状態を当該制御対象の温度（Ｔｅｎｇ）に応じて制御する制御装置（４０）であって、
前記制御装置の二箇所の温度（ＴｅｃｕＡ、ＴｅｃｕＢ）を検出可能な温度検出手段（５０）と、
記憶部（３１）と、
前記制御対象が非運転中か否かを判定する運転判定手段（３２）と、
前記制御対象が非運転中であると前記運転判定手段により判定された場合、前記制御装置が自己の発熱により温度上昇した自己発熱状態であるか否かを判定する自己発熱判定手段（３３）と、
前記制御装置が自己発熱状態であると前記自己発熱判定手段により判定された場合、自己発熱状態であることを示す自己発熱情報、および、当該判定直前の前記制御装置の起動時に前記温度検出手段が検出した温度である判定前温度（ＴｏｌｄＡ、ＴｏｌｄＢ）を、前記記憶部に記憶させる記憶手段（６１）と、
前記自己発熱情報が前記記憶部に記憶されている場合、前記制御装置の現時点から直前の起動時における二箇所の温度の温度差（δＴｅｃｕ−ｓ）が、前記記憶部に記憶されている二箇所の前記判定前温度の温度差（δＴｏｌｄ）よりも所定値（Ｔｅｃｕ１）以上高いか否かを判定する温度判定手段（６４）と、
前記温度判定手段による判定が否定された場合、前記制御装置の現時点から直前の起動時に前記温度検出手段が検出した温度に基づき前記制御対象の温度を推定し、前記温度判定手段による判定が肯定された場合、前記記憶部に記憶されている前記判定前温度に基づき前記制御対象の温度を推定する温度推定手段（６２）と、
を備えることを特徴とする制御装置。
【請求項３】
前記自己発熱判定手段は、前記制御対象の非運転中における前記制御装置の連続起動時間（Ｔｓ）または通算起動時間が所定時間（Ｔｓ１）以上である場合、前記制御装置が自己発熱状態であると判定することを特徴とする請求項１または２に記載の制御装置。
【請求項４】
前記自己発熱判定手段は、前記制御対象の非運転中において、単位時間あたりの前記制御装置の温度の変化量（ΔＴｅｃｕ）が所定量（ΔＴｅｃｕ１）以上である場合、前記制御装置が自己発熱状態であると判定することを特徴とする請求項１〜３のいずれか一項に記載の制御装置。
【請求項５】
前記自己発熱情報が前記記憶部に記憶されている場合、前記制御対象の運転時間（Ｔｄ）が所定運転時間（Ｔｄ１）を経過したか否かを判定する運転時間判定手段（３６）、をさらに備え、
前記記憶手段は、前記制御対象の運転時間が所定運転時間を経過したと前記運転時間判定手段により判定された場合、前記記憶部から前記自己発熱情報を消去しつつ、前記制御装置が自己発熱状態ではないことを示す自己発熱否定情報を前記記憶部に記憶させることを特徴とする請求項１〜４のいずれか一項に記載の制御装置。
【請求項６】
前記制御装置の起動時、前記自己発熱情報が前記記憶部に記憶されている場合、前記制御装置の今回の起動時の温度が、前記記憶部に記憶されている前記判定前温度よりも低いか否かを判定する温度低下判定手段（３６）、をさらに備え、
前記記憶手段は、前記制御装置の今回の起動時の温度が、前記記憶部に記憶されている前記判定前温度よりも低いと前記温度低下判定手段により判定された場合、前記記憶部から前記自己発熱情報を消去しつつ、前記制御装置が自己発熱状態ではないことを示す自己発熱否定情報を前記記憶部に記憶させることを特徴とする請求項１〜５のいずれか一項に記載の制御装置。
【請求項７】
前記温度検出手段は、前記制御装置の二箇所の温度（ＴｅｃｕＡ、ＴｅｃｕＢ）を検出可能であり、
前記制御装置の起動時、前記自己発熱情報が前記記憶部に記憶されている場合、前記制御装置の今回の起動時における二箇所の温度差（δＴｅｃｕ）が所定温度差（δＴｅｃｕ１）以下か否かを判定する温度差減少判定手段、をさらに備え、
前記記憶手段は、前記制御装置の今回の起動時における二箇所の温度差が前記所定温度差以下であると前記温度差減少判定手段により判定された場合、前記記憶部から前記自己発熱情報を消去しつつ、前記制御装置が自己発熱状態ではないことを示す自己発熱否定情報を前記記憶部に記憶させることを特徴とする請求項１〜６のいずれか一項に記載の制御装置（４０）。
【手続補正２】
【補正対象書類名】明細書
【補正対象項目名】０００６
【補正方法】変更
【補正の内容】
【０００６】
本発明は、制御対象の運転状態を当該制御対象の温度に応じて制御する制御装置であって、温度検出手段と、記憶部と、運転判定手段と、自己発熱判定手段と、記憶手段と、温度判定手段と、温度推定手段とを備えることを特徴とする。
運転判定手段は、制御対象が非運転中か否かを判定する。
【手続補正３】
【補正対象書類名】明細書
【補正対象項目名】０００７
【補正方法】変更
【補正の内容】
【０００７】
自己発熱判定手段は、制御対象が非運転中であると運転判定手段により判定された場合、制御装置が自己の発熱により温度上昇した自己発熱状態であるか否かを判定する。
記憶手段は、制御装置が自己発熱状態であると自己発熱判定手段により判定された場合、自己発熱状態であることを示す自己発熱情報と、当該判定直前の制御装置の起動時に温度検出手段が検出した温度である判定前温度とを記憶部に記憶させる。
本発明の第１の制御装置では、温度検出手段は、制御装置の一箇所または二箇所の温度を検出可能である。また、本発明の第１の制御装置では、温度判定手段は、自己発熱情報が記憶部に記憶されている場合、制御装置の現時点から直前の起動時の温度が、記憶部に記憶されている判定前温度よりも所定値以上高いか否かを判定する。また、本発明の第１の制御装置では、温度判定手段による判定が否定された場合、制御装置の現時点から直前の起動時に温度検出手段が検出した温度に基づき制御対象の温度を推定し、温度判定手段による判定が肯定された場合、記憶部に記憶されている判定前温度に基づき制御対象の温度を推定する。
本発明の第２の制御装置では、温度検出手段は、制御装置の二箇所の温度を検出可能である。また、本発明の第２の制御装置では、温度判定手段は、自己発熱情報が記憶部に記憶されている場合、制御装置の現時点から直前の起動時における二箇所の温度の温度差が、記憶部に記憶されている二箇所の判定前温度の温度差よりも所定値以上高いか否かを判定する。また、本発明の第２の制御装置では、温度推定手段は、温度判定手段による判定が否定された場合、制御装置の現時点から直前の起動時に温度検出手段が検出した温度に基づき制御対象の温度を推定し、温度判定手段による判定が肯定された場合、記憶部に記憶されている判定前温度に基づき制御対象の温度を推定する。